(57)【要約】      （修正有）【課題】ユーザに対し、より嗜好性の高い抽選器を提供する。【解決手段】抽選器１００は、ベース部材１０と、ベース部材１０から立設する支柱２０と、支柱２０により背面側で回転自在に片持ち支持されるドラム３０と、を有する。ドラム３０は、正面板部３１及び背面板部３２を備えて抽選玉が収容され、抽選玉が排出される排出機構を備えるドラム本体３４と、正面板部３１に着脱自在に設けられる枠部材３５と、枠部材３５と正面板部３１により挟持されるドラム用透明板とを有する。【選択図】図１
0003212916.tif 000002
【実用新案登録請求の範囲】
【請求項１】
ベース部材と、
前記ベース部材から立設する支柱と、
前記支柱により背面側で回転自在に片持ち支持されるドラムと、
を有し、
前記ドラムは、
正面板部及び背面板部を備えて抽選玉が収容され、前記抽選玉が排出される排出機構を備えるドラム本体と、
前記正面板部に着脱自在に設けられる枠部材と、前記枠部材と前記正面板部により挟持されるドラム用透明板と、
を有することを特徴とする抽選器。
【請求項２】
前記ベース部材は、直方体に形成されて、少なくとも前面に着脱自在のベース用透明板を備える
ことを特徴とする請求項１に記載の抽選器。
【請求項３】
前記ベース用透明板は、正面及び左右の側面に亘ってコ字状に形成されて、さらに前記コ字状が前記ベース部材の背面側に延伸し、固定用板部が突出形成される
ことを特徴とする請求項２に記載の抽選器。
【請求項４】
前記ドラム本体は、前記正面板部の前記背面板部側の外周縁に環状に配置される複数のＬＥＤを備え、前記複数のＬＥＤには、背面に配置される板ブラシ接点部を介して電源が供給される
ことを特徴とする請求項１乃至請求項３の何れかに記載の抽選器。
【請求項５】
前記ドラム本体は、円筒形状に形成されて、前記ドラム本体の外周縁に着脱自在に配置されるハンドルを備えて、前記枠部材の一部は、前記ハンドルと前記ドラム本体により挟持される
ことを特徴とする請求項１乃至請求項４の何れか記載の抽選器。
【請求項６】
前記排出機構は、
前記ドラム本体の内周面に形成されるカップ部と、前記ドラム本体の内周面に沿って前記カップ部から延設されるガイド部と、前記ガイド部に対応して前記ドラム本体に形成される排出穴と、前記ガイド部に対応した位置に配置されて前記排出穴に対して接近離間するよう回動自在に設けられて前記排出穴に対応する位置に前記排出穴より小さい穴部が形成される開閉蓋と、
を備える
ことを特徴とする請求項１乃至請求項５の何れか記載の抽選器。
【考案の詳細な説明】
【技術分野】
【０００１】
本考案は、抽選器に関する。
【背景技術】
【０００２】
従来から、福引きや抽選において抽選器が用いられている。一般的には、従来の抽選器は、六角柱や八角柱の筐体で形成され、筐体の中に多数の玉が入れられている。そして、筐体の一部に設けられたハンドルをユーザが１回転させることにより、多数の玉の中から１つの玉が取り出され、景品を決定する。
【０００３】
従来の抽選器は、主に木材で作成されており、木材の木目調を活かした形態となるものが多かった。また、ハンドルは、筐体が回転する際の回転軸となる中心軸から半径方向にＬ字型で形成されるものが多かった。
【０００４】
ここで、抽選器においても新たな改良が検討されており、例えば、特許文献１には、外部から多数の玉が収容されている筐体の内部を視認可能とする前面を備え、かつ、玉の出口は外部から視認不可となるように非透明に構成された抽選器も検討されている（特許文献１参照）。
【先行技術文献】
【特許文献】
【０００５】
【特許文献１】特開２０１４−１０６９３１号公報
【考案の概要】
【考案が解決しようとする課題】
【０００６】
考案者らは、嗜好性の高い抽選器に興味を抱いており、日々、抽選器の鋭意研究を重ねた結果、より嗜好性の高い抽選器を見出した。すなわち、従来の抽選器の正面は木目調のものが多く、また、ハンドルも抽選器の正面の視界を遮るものが多かったが、各個人が興味を有する嗜好性の高い装飾を、抽選器の正面の視界を遮らないように施すことにより、より嗜好性の高い抽選器を見出した。
【０００７】
本考案の目的は、ユーザに対し、より嗜好性の高い抽選器を提供することにある。
【課題を解決するための手段】
【０００８】
本考案に係る抽選器は、ベース部材と、前記ベース部材から立設する支柱と、前記支柱により背面側で回転自在に片持ち支持されるドラムと、を有し、前記ドラムは、  正面板部及び背面板部を備えて抽選玉が収容され、前記抽選玉が排出される排出機構を備えるドラム本体と、前記正面板部に着脱自在に設けられる枠部材と、前記枠部材と前記正面板部により挟持されるドラム用透明板と、を有することを特徴とする。
【考案の効果】
【０００９】
本考案によれば、ユーザに対し、より嗜好性の高い抽選器を提供することにある。
【図面の簡単な説明】
【００１０】
【図１】本考案の実施形態に係る抽選器の外観を示す斜視図であり、（ａ）は、抽選器の前方斜視図を示しており、（ｂ）は、抽選器の後方斜視図を示している。
【図２】図１（ａ）に示した前方斜視図のＩＩ―ＩＩ断面を示した断面図である。
【図３】本考案の実施形態に係る抽選器のドラム本体に、枠部材とドラム用透明板とが設けられる構成と、ベース部材にベース用透明板が設けられる構成とを示した説明図である。
【図４】本考案の実施形態に係る抽選器の背面側の構成を示した説明図である。
【図５】本考案の実施形態に係るドラム本体の排出機構の内部構造を示した説明図であり、（ａ）は、排出機構の開閉蓋が排出穴を封鎖する封鎖状態を示しており、（ｂ）は、排出機構が抽選玉を排出する排出状態を示している。
【考案を実施するための形態】
【００１１】
以下、本考案の実施形態について、図面を用いて説明する。図１は、本考案の実施形態に係る抽選器１００の外観を示す説明図である。図１に示す抽選器１００は、ドラム本体３４に設けられたハンドル３７をユーザが手で握り、円周方向に沿ってハンドル３７を回転させることにより、ドラム本体３４の中に収容された複数の抽選玉から１つの抽選玉が抽出され、排出機構３３から抽選玉が排出される。そして、排出機構３３から排出された抽選玉は、ベース部材１０の上面に載置される。ここで、抽選玉は、図示しないが、球状のカプセルとされる。
【００１２】
なお、以下の説明において、ドラム本体３４にハンドル３７が設けられている面を正面とし、ハンドル３７が設けられている面と反対側の面を背面とする。また、図１（ａ）は、抽選器１００の前方斜視図を示しており、図１（ｂ）は、抽選器１００の後方斜視図を示している。
【００１３】
図２は、図１（ａ）のＩＩ―ＩＩ断面を示した断面図である。また、図３は、本考案の実施形態に係る抽選器１００のドラム本体３４に、枠部材３５とドラム用透明板３６とが設けられる構成と、ベース部材１０にベース用透明板１１が設けられる構成とを示した説明図である。また、図４は、本考案の実施形態に係る抽選器１００の背面側の構成を示した説明図である。
【００１４】
抽選器１００は、図１に示すように、ベース部材１０を有し、ベース部材１０から立設する支柱２０を有する。また、抽選器１００は、支柱２０により抽選器１００の背面側で回転自在に片持ち支持されるドラム３０を有している。
【００１５】
ベース部材１０は、直方体に形成されており、また、ベース部材１０の上面は、受皿形状に形成されて、ドラム本体３４から排出される抽選玉を受け止め、載置する。また、ベース部材１０は、少なくとも前面に着脱自在のベース用透明板１１を備えている。ベース用透明板１１は、図３に示すように、正面及び左右の側面に亘ってコ字状に形成されている。ベース用透明板１１は、コ字状がベース部材１０の背面側にまで延伸し、固定用板部１２が突出形成されている。これにより、ベース用透明板１１は、固定用板部１２をベース部材１０に固定することができる。また、ベース部材１０は、ベース用透明板１１とともに、抽選器１００の土台を形成する。
【００１６】
なお、ベース用透明板１１は、アクリル板又はポリカーボネート樹脂板などにより形成され、透明板により形成される。そして、ベース用透明板１１は、ベース部材１０との間にベース用パネル４１を備えている。
【００１７】
ベース用パネル４１は、ベース用透明板１１と同一形状に形成されて、ベース部材１０の前面と左右の側面に亘って配置される。また、ベース用パネル４１は、ベース用透明板１１により正面と側面が保護されながら、ベース部材１０とベース用透明板１１とにより挟持される。ベース用パネル４１は、例えば、芸能人、アイドル歌手、又は著名なロゴなどが装飾されたパネルが使用される。
【００１８】
支柱２０は、アクリル樹脂で柱状に形成され、図１又は図４に示すように、ドラム本体３４と接続される上部が、コーナーカットされている。支柱２０は、ベース部材１０を土台として、ドラム３０を支えるように設けられる。
【００１９】
ドラム３０は、図１乃至図３に示すように、ドラム本体３４を備えている。ドラム本体３４は、肉薄な円筒形状に形成される。ドラム本体３４は、正面板部３１及び背面板部３２を備えて複数の抽選玉が収容され、複数の抽選玉の中から１つの抽選玉が排出される排出機構３３を備えている。
【００２０】
また、ドラム３０は、正面板部３１に着脱自在に設けられる枠部材３５を有しており、枠部材３５と正面板部３１により挟持されるドラム用透明板３６を有する。ここで、枠部材３５と正面板部３１の外周縁部には、互いに吸着する磁石がそれぞれ設けられており、この磁石により、枠部材３５は、ドラム本体３４の正面板部３１に着脱自在に設けられ、ドラム用透明板３６は、枠部材３５と正面板部３１により挟持される。
【００２１】
ドラム用透明板３６は、円形状に形成されており、ベース用透明板１１と同様に、アクリル板又はポリカーボネート樹脂板などにより形成され、透明板により形成される。また、ドラム用透明板３６は、ドラム本体３４との間にドラム用パネル４０を備えている。
【００２２】
ドラム用パネル４０は、正面板部３１の前面に配置され、ドラム用透明板３６により正面側が保護されながら、枠部材３５と正面板部３１とにより挟持される。なお、ドラム用パネル４０は、ベース用透明板１１と同様に、例えば、芸能人、アイドル歌手、又は著名なロゴなどが装飾されたパネルが使用される。特にドラム用パネル４０は、正面側が円形であって円形一面にパネルを形成することができるため、例えば、芸能人やアイドル歌手の顔写真や全体像を一面に貼付することができる。
【００２３】
また、ドラム本体３４は、円筒形状に形成されており、ドラム本体３４の外周縁に着脱自在に配置されるハンドル３７を備えている。ハンドル３７は、図１及び図２に示すように、ハンドル軸３７ａ回りに円筒状に形成された把持部材３７ｂが回転自在に設けられる。これにより、枠部材３５の一部は、ハンドル３７とドラム本体３４とにより挟持される。ハンドル３７は、ドラム本体３４の外周縁に設けられているので、図１に示すように、ドラム３０を円周方向（Ｓ方向）に回転することができる。
【００２４】
さらに、ドラム本体３４は、図３に示すように、ドラム本体３４の正面板部３１の背面板部３２側の外周縁に環状に複数のＬＥＤ（Light Emitting Diode）４２が配置されている。複数のＬＥＤ４２には、図４に示すように、ドラム本体３４の背面に配置される板ブラシ接点部４３を介して、電源が供給される。なお、複数のＬＥＤ４２は、テープＬＥＤで形成されている。テープＬＥＤは、ＬＥＤが等間隔に並んでおり、複数のＬＥＤ４２全体がテープ状になっている。また、テープＬＥＤは、樹脂素材で生成されているため、複数のＬＥＤ４２は、ドラム本体３４の正面板部３１の背面板部３２側の外周縁において、環状に曲げながら曲面に貼付されている。
【００２５】
板ブラシ接点部４３は、図４に示すように、ドラム本体３４の回転軸ＡＲを中心にして背面板部３２に設けられ、また、背面板部３２と支柱２０の間にベアリング２１が設けられる。これにより、ドラム３０は、ドラム本体３４自体を滑らかに回転することができるとともに、ドラム本体３４の回転に伴って、複数の電極から形成される板ブラシ接点部４３により、複数のＬＥＤ４２（図３参照）用の電源が、ドラム本体３４に供給されている。なお、ベアリング２１は、図４では、１つ図示されているが、個数に限定されるものではなく、２つ又は３つなど所望する個数のベアリングを設けることができる。
【００２６】
投入口５５は、図１、図３又は図４に示すように、抽選玉をドラム本体３４に投入する投入口である。投入口５５は、ドラム本体３４の外周側面の一部に、外周側面に沿った磁力により着脱可能な長方形状の蓋を有し、その蓋の略中心に穴が設けられている。穴は、平均的な人差し指の穴のサイズとなっており、抽選玉をドラム本体３４に投入する際は、人差し指を穴に入れて長方形状の蓋を外し、投入口５５が開口した状態で複数の抽選玉を投入する。また、抽選玉の投入が完了すると、再び、穴に人差し指を入れて長方形状の蓋を投入口５５に嵌め込む。
【００２７】
次に、ドラム３０のドラム本体３４の排出機構３３について、説明する。図５は、ドラム本体３４の排出機構３３の内部構造を示した説明図である。
【００２８】
ドラム本体３４の排出機構３３は、図５に示すように、ドラム本体３４の内周面にカップ部５０が形成されている。カップ部５０は、袋形状になっており、抽選玉１つが収納されるサイズとなっている。また、ドラム本体３４の内周面に沿ってカップ部５０からガイド部５１が延設されている。ガイド部５１は、収納された抽選玉の進行を導くものであり、両側に設けられた同一高さの壁により形成される。また、ドラム本体３４には、ガイド部５１に対応して排出穴５２が形成されている。排出穴５２は、収納された抽選玉をドラム本体３４から排出する穴であり、抽選玉を排出する円形が形成されている。また、ドラム本体３４には、ガイド部５１に対応した位置に配置されて、排出穴５２に対して接近離間するよう回動自在に開閉蓋５４が設けられており、排出穴５２に対応する位置に排出穴５２より小さい穴部５３が形成されている。
【００２９】
また、ドラム本体３４の内周面には、均等配置された４つの円柱状の撹拌棒３８が設けられるとともに、回転軸ＡＲには、撹拌壁３９が設けられている。撹拌壁３９は、Ｌ字型の壁を４つ有している。撹拌棒３８及び撹拌壁３９は、ハンドル３７が回転されることにより、ドラム本体３４と一体なって回転し、ドラム本体３４に収容されている複数の抽選玉を掻き混ぜる。
【００３０】
ここで、ドラム３０のドラム本体３４の排出機構３３の動作について、説明する。
【００３１】
図５（ａ）では、排出機構３３の開閉蓋５４が、排出穴５２を封鎖する封鎖状態を示した説明図である。ここで、以下の説明では、ドラム本体３４を正面から見た場合、時計の右回りの時刻配置を排出機構３３の位置に割り当てて、垂直方向に６時と１２時を割り当てるとともに、水平方向に３時と９時を割り当てる。
【００３２】
排出機構３３は、図５（ａ）に示すように、ドラム本体３４内において８時の位置にあり、この場合、開閉蓋５４は排出穴５２を閉じている。ドラム本体３４内には、複数の抽選玉が収容されており、複数の抽選玉のうち１つの抽選玉が、カップ部５０に収納されている。また、開閉蓋５４の穴部５３は抽選玉よりも小さいため、開閉蓋５４が排出穴５２を閉じているときは、抽選玉が排出穴５２から排出されることはない。なお、排出機構３３が８時の位置にあるときは、ハンドル３７は、６時の位置に配置されるものとする。
【００３３】
そして、ハンドル３７がＳ方向に回転され、排出機構３３が１２時の位置に近づくにつれ、開閉蓋５４は、少しずつ開き始める。また、カップ部５０に収納されていた抽選玉は、１２時の位置を通過すると転がり出し、所定の角度で開いた開閉蓋５４の穴部５３に受け止められる。その後、抽選玉は、開閉蓋５４の穴部５３に載置された状態で、ハンドル３７の回転に伴って１２時の位置から１時以降の位置に進んでいく。その後、ハンドル３７が３時の位置周辺に到達すると、排出機構３３は、図５（ｂ）に示すように、５時の位置周辺に到達する。この場合、開閉蓋５４の穴部５３に載置された抽選玉は、開閉蓋５４が垂直方向に近づくため、重力の影響を受けて穴部５３から転がり出し、排出穴５２から排出される。
【００３４】
抽選玉が排出穴５２から排出された後は、ハンドル３７をさらに回転させることにより、再び、図５（ａ）の封鎖状態に移行し、カップ部５０に次に排出される１つの抽選玉が収納される。
【００３５】
このように、本考案の実施形態に係る抽選器１００は、ドラム本体３４の排出機構３３を有することにより、ドラム本体３４に設けられたハンドル３７をユーザが握り、円周方向（Ｓ方向）に沿ってハンドル３７を回転させることにより、ドラム本体３４の中に収容された複数の抽選玉から１つの抽選玉が抽出され、排出穴５２から１つの抽選玉を排出することができる。
【００３６】
以上のような本考案の実施形態によれば、抽選器１００は、ベース部材１０と、ベース部材１０から立設する支柱２０と、支柱２０により背面側で回転自在に片持ち支持されるドラム３０と、を有している。そして、ドラム３０は、正面板部３１及び背面板部３２を備えて複数の抽選玉が収容され、１つの抽選玉が排出される排出機構３３を備えるドラム本体３４と、背面板部３２に着脱自在に設けられる枠部材３５と、枠部材３５と正面板部３１により挟持されるドラム用透明板３６と、を有している。
【００３７】
これにより、本考案の実施形態の抽選器１００は、例えば、ドラム本体３４の正面板部３１のドラム用パネル４０に芸能人やアイドル歌手の顔写真を貼付することができるので、ユーザに対し、より嗜好性の高い抽選器による抽選を行うことができる。
【００３８】
また、本考案の実施形態の抽選器１００は、ベース部材１０が直方体に形成されて、少なくとも前面に着脱自在のベース用透明板１１を備えている。これにより、ドラム用パネル４０と同一の芸能人やアイドル歌手をベース用パネル４１に貼付することができ、抽選器１００全体としての相乗効果により、より嗜好性を高めることができる。
【００３９】
また、本考案の実施形態の抽選器１００は、ベース用透明板１１が、正面及び左右の側面に亘ってコ字状に形成されて、さらにコ字状がベース部材１０の背面側に延伸し、固定用板部１２が突出形成されている。これにより、ベース用透明板１１は、ベース用パネル４１を挟持しながら、ベース部材１０の背面で固定用板部１２をベース部材１０に固定することができる。
【００４０】
また、本考案の実施形態の抽選器１００は、ドラム本体３４が、正面板部３１の背面板部３２側の外周縁に環状に配置される複数のＬＥＤ４２を備えている。これにより、ユーザがハンドル３７を回転する動作に合わせてドラム本体３４も回転するため、ドラム本体３４の装飾効果を一段と発揮することができる。なお、この場合、複数のＬＥＤ４２には、ドラム本体３４の背面板部３２に配置される板ブラシ接点部４３を介して電源が供給されるため、電源供給用の配線も容易に引くことができる。
【００４１】
また、本考案の実施形態の抽選器１００のドラム本体３４は、円筒形状に形成され、ドラム本体３４の外周縁に着脱自在に配置されるハンドル３７を備えている。また、枠部材３５の一部は、ハンドル３７とドラム本体３４により挟持されるようになっている。これにより、ドラム本体３４の中心部に芸能人やアイドル歌手のパネルを形成するドラム用パネル４０を構成することができる。また、ハンドル３７もドラム本体３４の外周縁に配置されているため、ドラム用パネル４０の芸能人やアイドル歌手のパネルを遮ることがない。
【００４２】
また、本考案の実施形態の抽選器１００の排出機構３３は、ドラム本体３４の内周面に形成されるカップ部５０と、ドラム本体３４の内周面に沿ってカップ部５０から延設されるガイド部５１と、ガイド部５１に対応してドラム本体３４に形成される排出穴５２と、ガイド部５１に対応した位置に配置されて排出穴５２に対して接近離間するよう回動自在に設けられて排出穴５２に対応する位置に排出穴５２より小さい穴部５３が形成される開閉蓋５４と、を備えている。
【００４３】
これにより、本考案の実施形態の抽選器１００は、ハンドル３７を回転することにより、複数の抽選玉が収容されているドラム本体３４から、１つの抽選玉を抽出し、ガイド部５１と開閉蓋５４の穴部５３を介して排出穴５２からドラム本体３４の外部に排出することができる。
【００４４】
また、以上説明した実施形態は、例として提示したものであり、考案の範囲を限定することは意図していない。これら新規な実施形態は、その他の様々な形態で実施されることが可能であり、考案の趣旨を逸脱しない範囲で、種々の省略、置き換え、変更を行うことができる。これらの実施形態やその変形は、考案の範囲や要旨に含まれるとともに、実用新案登録請求の範囲に記載された考案とその均等の範囲に含まれる。
【００４５】
例えば、本考案の実施形態の抽選器１００は、ベース部材１０に、近距離無線通信規格のスピーカを内蔵することにより、抽選器１００により行う抽選に合わせて音楽を出力するようにしてもよい。
【符号の説明】
【００４６】
１０    ベース部材                    １１    ベース用透明板
１２    固定用板部                    ２０    支柱
２１    ベアリング                    ３０    ドラム
３１    正面板部                      ３２    背面板部
３３    排出機構                      ３４    ドラム本体
３５    枠部材                        ３６    ドラム用透明板
３７    ハンドル                      ３７ａ  ハンドル軸３７ａ
３７ｂ  把持部材                      ３８    撹拌棒
３９    撹拌壁                        ４０    ドラム用パネル
４１    ベース用パネル                ４２    ＬＥＤ
４３    板ブラシ接点部                ５０    カップ部
５１    ガイド部                      ５２    排出穴
５３    穴部                          ５４    開閉蓋
５５    投入口                      １００    抽選器
【図１】
0003212916.tif 000003
【図２】
0003212916.tif 000004
【図３】
0003212916.tif 000005
【図４】
0003212916.tif 000006
【図５】
0003212916.tif 000007